(57)【要約】【課題】車両１台で運搬可能で、かつ、使用時にはボタン操作一つでアンテナをシェルター上に自動的に展開するアンテナ装置を提供する。【解決手段】内部にアンテナ１と接続する無線機器を格納するシェルター３のあらかじめ定めた所定の位置例えば上面近傍の位置に支点６で示す支柱を配設し、該支柱を軸にして回動自在な状態で、アンテナ１を固定するアンテナ台２を取り付ける。アンテナ台２の側面に先端を固着した伸縮自在なシリンダー４をボタン操作により伸縮させ、アンテナ装置の収納時には、前記支柱を軸にアンテナ台２を時計方向に回動させてシェルター３の側面に沿うようにアンテナ１を横に倒した状態に配置し、アンテナ装置の使用時には、反時計方向に９０度回動させてアンテナ台２をシェルター３の上面の上方向にアンテナ１が直立する展開状態に移動させる。アンテナ１が展開状態に移動した後、アンテナ固定機構７を作動させてアンテナ台２を固定する。【選択図】        図１
2010183325.tif 000002
【特許請求の範囲】
【請求項１】
アンテナと、該アンテナの取り付け用のアンテナ台を備えるとともに内部に該アンテナと接続する無線機器を格納するシェルターと、からなるアンテナ装置であって、前記アンテナ台を前記シェルターのあらかじめ定めた所定の位置に固定して配設した支柱を軸にして回動自在に取り付けることにより、当該アンテナ装置の収納時には、前記支柱を軸にして前記アンテナ台を回動させて前記シェルターの側面に沿うように前記アンテナを倒した状態に配置することを特徴とするアンテナ装置。
【請求項２】
当該アンテナ装置を使用する場合、前記支柱を軸にして前記アンテナ台を回動させることにより、前記アンテナ台を前記シェルターの上面の上方向に前記アンテナが直立する展開状態に移動させることを特徴とする請求項１に記載のアンテナ装置。
【請求項３】
前記シェルターの上面の上方向に前記アンテナが直立する展開状態に移動した後、アンテナ固定機構を作動させて前記アンテナ台を固定することを特徴とする請求項２に記載のアンテナ装置。
【請求項４】
前記支柱が配設される前記所定の位置が、前記シェルターの上面近傍の位置であり、当該アンテナ装置の使用時に、前記アンテナを取り付ける前記アンテナ台の載置面が、前記シェルターの上面から突出することを特徴とする請求項２または３に記載のアンテナ装置。
【請求項５】
前記シェルターに、前記アンテナ台の側面に先端が固着した伸縮自在なシリンダーを備え、該シリンダーを伸縮させることにより、前記支柱を軸にして前記アンテナ台を回動させることを特徴とする請求項１ないし４のいずれかの記載のアンテナ装置。
【請求項６】
ユーザが操作するアンテナ展開・収納用のボタンを備え、該アンテナ展開・収納用のボタンの操作により、前記シリンダーの伸縮動作を起動することを特徴とする請求項５に記載のアンテナ装置。
【請求項７】
アンテナと、該アンテナの取り付け用のアンテナ台を備えるとともに内部に該アンテナと接続する無線機器を格納するシェルターと、からなるアンテナ装置におけるアンテナ展開収納方法であって、前記アンテナ台を前記シェルターのあらかじめ定めた所定の位置に固定して配設した支柱を軸にして回動自在に取り付けることにより、前記アンテナ装置の収納時には、前記支柱を軸にして前記アンテナ台を回動させて前記シェルターの側面に沿うように前記アンテナを倒した状態に配置することを特徴とするアンテナ展開収納方法。
【請求項８】
当該アンテナ装置を使用する場合、前記支柱を軸にして前記アンテナ台を回動させることにより、前記アンテナ台を前記シェルターの上面の上方向に前記アンテナが直立する展開状態に移動させることを特徴とする請求項７に記載のアンテナ展開収納方法。
【請求項９】
前記シェルターの上面の上方向に前記アンテナが直立する展開状態に移動した後、アンテナ固定機構を作動させて前記アンテナ台を固定することを特徴とする請求項８に記載のアンテナ展開収納方法。
【請求項１０】
前記支柱が配設される前記所定の位置が、前記シェルターの上面近傍の位置であり、当該アンテナ装置の使用時に、前記アンテナを取り付ける前記アンテナ台の載置面が、前記シェルターの上面から突出することを特徴とする請求項８または９に記載のアンテナ展開収納方法。
【請求項１１】
前記シェルターに、前記アンテナ台の側面に先端が固着した伸縮自在なシリンダーを備え、該シリンダーを伸縮させることにより、前記支柱を軸にして前記アンテナ台を回動させることを特徴とする請求項７ないし１０のいずれかの記載のアンテナ展開収納方法。
【請求項１２】
ユーザが操作するアンテナ展開・収納用のボタンを備え、該アンテナ展開・収納用のボタンの操作により、前記シリンダーの伸縮動作を起動することを特徴とする請求項１１に記載のアンテナ展開収納方法。
【発明の詳細な説明】
【技術分野】
【０００１】
本発明は、アンテナ装置およびアンテナ展開収納方法に関し、特に、アンテナとシェルターとからなるアンテナ装置において、当該アンテナ装置を車両で運搬する際に、車両に積載可能な大きさにアンテナを収納し、使用時には、ボタン操作一つでアンテナを自動的に展開させる機構を備えたアンテナ装置に関する。
【背景技術】
【０００２】
従来、大型のアンテナと、該アンテナの据付台として機能するとともに内部に該アンテナと接続するための無線機器類を格納しているシェルターとからなるアンテナ装置を輸送する際には、例えば、特開平１０−１４５１２８号公報「アンテナ装置」のように、大型のアンテナをシェルターから分離して、大型のアンテナ輸送用としてトラック１台、シェルター輸送用としてトラック１台の合計２台のトラックで輸送するか、あるいは、シェルター輸送用トラックとアンテナを輸送するための牽引車との構成で輸送するかのいずれかの輸送方法を用いている場合が多い。
【先行技術文献】
【特許文献】
【０００３】
【特許文献１】特開平１０−１４５１２８号公報（第３−５頁）
【発明の概要】
【発明が解決しようとする課題】
【０００４】
したがって、従来技術においては、次のような問題があった。
【０００５】
第１の問題点は、トラック２台またはトラック１台と牽引車１台との輸送手段を用いる構成となり、機動性が悪くなることにある。その理由は、トラック輸送の場合、道路交通法の規定から、車載物の高さとして地上からの高さ制限があり、１台のトラックの荷台上に、アンテナ装置を組み立てた使用時の状態、つまり、シェルターの上面に載置したアンテナを仰角方向に向けた状態のままで、輸送することができないからである。
【０００６】
第２の問題点は、現場に到着して、アンテナ装置を使用する際に、アンテナとシェルター内の無線機器とのケーブル接続を行うことが必要になることにある。その理由は、アンテナとシェルター内の無線機器との間のケーブル接続を外して、シェルターを１台のトラックにより、アンテナを牽引車または別のトラックによって、分離して運搬しているからである。
【０００７】
図４は、従来のアンテナ装置の現地でのアンテナ展開手順を示すフローチャートであり、現地に到着してから運用開始に至るまでの手順を示している。まず、測定器・制御器等の無線機器を収納しているシェルターを地面に設置するとともに、アンテナを取り付けるためのアンテナ台を車両から取り出す（ステップＳ１１）。しかる後、取り出したアンテナ台にアンテナを固定した後（ステップＳ１２）、シェルター内の無線機器とアンテナとの間をケーブルによって接続する（ステップＳ１３）。ケーブル接続が終了すると、アンテナを、無線電波を送受信することが可能な所定の高さまで揚げて展開する（ステップＳ１４）。アンテナの展開が終了したことを確認すると（ステップＳ１５）、アンテナ装置としての運用を開始する（ステップＳ１６）。かくのごとく、従来のアンテナ装置の現地における設置作業は煩雑なものになっている。
【０００８】
本発明は、かかる問題に鑑みてなされたものであり、機動性および操作性を向上させるために、アンテナ装置を構成するアンテナとシェルターとを一体化して、車両１台で運搬することを可能にし、かつ、使用時には、ボタン操作一つでアンテナをシェルター上に自動的に展開するアンテナ装置およびアンテナ展開収納方法を提供することを目的としている。
【課題を解決するための手段】
【０００９】
前述の課題を解決するため、本発明によるアンテナ装置は、次のような特徴的な構成を採用している。
【００１０】
（１）アンテナと、該アンテナの取り付け用のアンテナ台を備えるとともに内部に該アンテナと接続する無線機器を格納するシェルターと、からなるアンテナ装置であって、前記アンテナ台を前記シェルターのあらかじめ定めた所定の位置に固定して配設した支柱を軸にして回動自在に取り付けることにより、当該アンテナ装置の収納時には、前記支柱を軸にして前記アンテナ台を回動させて前記シェルターの側面に沿うように前記アンテナを倒した状態に配置するアンテナ装置。
【発明の効果】
【００１１】
本発明のアンテナ装置およびアンテナ展開収納方法によれば、以下のような効果を奏することができる。
【００１２】
第１の効果は、車両１台で、アンテナ装置を輸送することが可能であり、機動性が向上する点にある。その理由は、シェルターの側面に沿ってシェルターの横にアンテナを倒すことによって、アンテナ装置車載時の車両の高さを、道路交通法に規定されている車両高さ制限以内に抑えることができ、シェルターとアンテナとを同じ車両に積載して一緒に輸送することができるからである。
【００１３】
第２の効果は、実際にアンテナ装置を使用する現地に到着した後に、アンテナとシェルター内の無線機器とのケーブル接続を行う作業が不要となる点にある。その理由は、アンテナとケーブル接続した状態の無線機器を内蔵したシェルターを、当該アンテナと同じ車両に積載して一緒に輸送することが可能になるからである。
【００１４】
第３の効果は、アンテナ展開の際に、所望の無線電波を送受信するために最適の高さまでアンテナを高く揚げることができる点にある。その理由は、アンテナ展開用のボタン操作を行った際に、シェルターの側面の上部に配設した支柱を軸にして、アンテナを固定載置したアンテナ台を、シェルター上面から突出した位置まで回転させて、アンテナをシェルター上面の上方向に直立させることができるので、アンテナ装置の使用時には、シェルターの上方向に、アンテナを所望の高さまで高く揚げることができるからである。一方、アンテナ装置の収納時においては、アンテナをシェルターの横にシェルターの側面に沿うように倒した状態に配置しているので、アンテナ装置全体の高さを低く、かつ、長さを短くすることができ、運搬性も確保することができる。
【図面の簡単な説明】
【００１５】
【図１】本発明に係るアンテナ装置の輸送状態の一例を示す模式図である。
【図２】本発明に係るアンテナ装置の現地での展開手順の一例を示すフローチャートである。
【図３】本発明に係るアンテナ装置の現地での展開状態の一例を示す模式図である。
【図４】従来のアンテナ装置の現地での展開手順を示すフローチャートである。
【発明を実施するための形態】
【００１６】
以下、本発明に係るアンテナ装置およびアンテナ展開収納方法の好適な実施例について添付図を参照して説明する。
【００１７】
（本発明の特徴）
本発明の実施形態の説明に先立って、本発明の特徴についてその概要をまず説明する。本発明に係るアンテナ装置およびアンテナ展開収納方法は、車両に積載して輸送する際には、アンテナをシェルター側面に沿って横に水平に倒した状態に回動させることによって、道路交通法における車両の高さ規制の範囲内に収まる高さに抑えることができ、アンテナ装置を１台の車両に積載して、運搬することを可能にすることを特徴としている。また、現地におけるアンテナ装置の使用時には、シェルターの上方向に、垂直にアンテナを展開させて、所望の無線電波を送受信することが可能な高さまで、アンテナの高さを高く揚げることを可能としていることも特徴としている。
【００１８】
（本発明のアンテナ装置の構成例）
図１は、本発明に係るアンテナ装置の輸送状態の一例を示す模式図であり、シェルター３の側面に収納した状態に回動させているアンテナ１と、該アンテナ１の据付台として機能するとともに内部に該アンテナ１と接続するための無線機器類を格納しているシェルター３とを示している。ここで、シェルター３は、後述するように、アンテナ１を自動展開させる機能も有している。
【００１９】
図１に示すように、本実施形態におけるアンテナ装置は、アンテナ１、アンテナ１を取り付けて固定するためのアンテナ台２、該アンテナ１を固定したアンテナ台２を回動自在に軸支するとともに内部に該アンテナ１と接続するための測定器・制御器等の無線機器類を収納するシェルター３、アンテナ１を揚げたり降ろしたりするためのシリンダー４、シェルター３全体を持ち上げたり下げたりする昇降脚５、シェルター３の側面から上面方向に向かってアンテナ台２を回動させるための支柱を示す支点６、アンテナ１をシェルター３の上面の上方向に直立させた後、アンテナ１を固定するアンテナ固定機構７を少なくとも含んで構成される。
【００２０】
なお、図１は、前述のように、車両に積載した輸送時のアンテナ装置の配置状態を示しており、シェルター３内の無線機器とアンテナ１とは相互に電気的な接続がなされた状態で一体化されており、アンテナ１はシェルター３の側面に倒した状態で収納されている。図１に示すように、シェルター３には、上面に近い前後面に固着された支点６が示す支柱に一辺が回動自在に取り付けられた例えば三角柱形状のアンテナ台２と、該三角柱形状のアンテナ台２の内側の側面の略中央部分に先端が固着された伸縮自在なシリンダー４とが取り付けられている。
【００２１】
アンテナ台２は、シリンダー４を引き伸ばすことによって、支点６で示す支柱を軸にして９０度回動することが可能であり、これにより、アンテナ台２に取り付けられているアンテナ１は、９０度回転して、シェルター３の上方向に持ち上げられて、直立した状態になる。アンテナ１の展開終了後は、アンテナ固定機構７によりアンテナ台２が固定され、アンテナ１は固定される。
【００２２】
つまり、図示していないアンテナ展開用のボタンを操作すると、例えば油圧によって、先端がアンテナ台２の側面中央部に固着している伸縮自在なシリンダー４が伸びる方向に圧力が加わることによって、アンテナ台２の側面中央部を押し上げることになり、支点６が示す支柱を軸にして、アンテナ台２が時計の反回転方向に回動し、シリンダー４があらかじめ定めた所定の長さまで伸びた際には、アンテナ台２が９０度回動した状態になり、アンテナ１が固定されているアンテナ台２の載置面が横方向から上方向に回動する。
【００２３】
したがって、アンテナ台２の載置面に固定されているアンテナ１は、シェルター３の側面に倒れていた状態から、シェルター３の上方向に直立した状態になって、アンテナ１の展開動作が終了する。アンテナ１の展開が終了すると、シェルター３の上面に配設されているアンテナ固定機構７が作動して、アンテナ台２が固定され、アンテナ１は固定した状態になる。なお、アンテナ台２の載置面は、アンテナ１を取り付けて固定する面であり、アンテナ１の展開状態では、シェルター３の上面から上方向に突出した位置に固定される状態になる。
【００２４】
（実施形態の動作の説明）
次に、本発明のアンテナ装置の一例を示す図１のアンテナ装置の動作例について、図１のアンテナ１の収納状態からアンテナ１の展開状態に移行する際の動作の一例を、図２を用いて説明する。ここで、図１のアンテナ１の収納状態とは、前述したように、車両に積載して輸送する際のアンテナ装置の配置状態を示しており、アンテナ１の自動展開機能を有するシェルター３の側面にアンテナ１を倒した状態で収納されている。図２は、本発明に係るアンテナ装置の現地でのアンテナ展開手順の一例を示すフローチャートであり、以下、図２のフローチャートにしたがって説明する。
【００２５】
アンテナ装置を実際に使用する現地に到着すると、現地において、まず、シェルター３を車両から地面に降ろして、昇降脚引き伸ばし用のボタンを操作して、シェルター３に取付けられていた昇降脚５を引き伸ばすことにより、地面上に昇降脚５を立脚させ、昇降脚５の棚上に固定して載置されているシェルター３を地面から浮かせた状態で設置する（ステップＳ１）。次いで、アンテナ１の展開用のボタンを操作することにより、アンテナ１をシェルター３の上方向に引き揚げる展開動作を開始する。
【００２６】
つまり、展開動作としては、まず、シェルター３に取り付けられた伸縮自在のシリンダー４を引き伸ばす。これにより、アンテナ１が載置されているアンテナ台２は、シリンダー４の先端が固着している側面中央部が押し上げられることになり、シェルター３の前後面上部に固着された支点６が示す支柱を軸にして時計の反回転方向に回動する。シリンダー４があらかじめ定めた所定の長さまで伸びた際には、アンテナ台２は９０度回動した状態になり、アンテナ１が固定されているアンテナ台２の載置面が横方向から上方向に回動する。
【００２７】
この結果、アンテナ台２の載置面に固定されているアンテナ１は、シェルター３の側面に倒れていた状態から、シェルター３の上面の上方向に直立した状態に展開される（ステップＳ２）。アンテナ１が直立状態になると、シェルター３の上面に配設されているアンテナ固定機構７が作動することによって、アンテナ台２が固定され、その結果、アンテナ１が固定された状態になって、アンテナ１の展開動作が終了する（ステップＳ３）。
【００２８】
アンテナ１の展開が終了したことを確認すると、運用を開始する（ステップＳ４）。かくのごとく、本実施形態のアンテナ装置の現地設置作業は、図４に示した従来のアンテナ装置に比し、大幅に簡素化されたものになっている。
【００２９】
図３は、本発明に係るアンテナ装置の現地での展開状態の一例を示す模式図であり、アンテナ展開終了後の本発明に係るアンテナ１付きのシェルター３の運用状態を示している。図３に示すように、地面上に立架した昇降脚５の棚上にシェルター３は固定搭載されており、シェルター３内に取り付けられている伸縮自在なシリンダー４の引き伸ばし動作によって、アンテナ台２が、支点６が示す支柱を軸にして、シェルター３の側面から上面方向に向かって９０度回動するとともに、アンテナ台２のアンテナ１の載置面がシェルター３の上面から突出した状態になる。
【００３０】
この結果、アンテナ台２の載置面に固定載置されているアンテナ１は、シェルター３の上面から突出した状態で、運用に必要な所望の高さにまで引き揚げられた状態で直立し、アンテナ１が展開された状態になっている。かくのごときアンテナ１の直立状態になると、アンテナ１を取り付けているアンテナ台２がアンテナ固定機構７によって固定される。
【００３１】
なお、アンテナ装置の現地における使用を終了して、車両に搭載して運搬する場合は、アンテナ１の収納用のボタンを操作することにより、アンテナ１を取り付けているアンテナ台２を固定しているアンテナ固定機構７の固定状態を解除するとともに、シリンダー４を元の長さまで縮ませることができる。この結果、アンテナ台２が、支点６に示す支柱を軸にして、シェルター３の上面から側面方向に９０度回動して、運用時には直立していたアンテナ１も、シェルター３の側面に移動して、横に倒れた収納状態に復帰する。
【００３２】
該収納状態においては、前述したように、当該アンテナ装置を積載しても、積載車両の高さは、道路交通法によって規定された車両高さ制限以下に抑えることができ、１台の車両による輸送が可能な状態になっている。
【００３３】
（実施形態の効果の説明）
以上に詳細に説明したように、本発明の実施形態に係るアンテナ装置によれば、以下のような効果が得られる。
【００３４】
第１の効果は、車両１台で、アンテナ装置を輸送することが可能であり、機動性が向上する点にある。その理由は、シェルター３の側面に沿ってシェルター３の横にアンテナ１を倒すことによって、アンテナ装置車載時の車両の高さを、道路交通法に規定されている車両高さ制限以内に抑えることができ、シェルター３とアンテナ１とを同じ車両に積載して一緒に輸送することができるからである。
【００３５】
第２の効果は、実際にアンテナ装置を使用する現地に到着した後に、アンテナ１とシェルター３内の無線機器とのケーブル接続を行う作業が不要となる点にある。その理由は、アンテナ１とケーブル接続した状態の無線機器を内蔵したシェルター３を、当該アンテナ１と同じ車両に積載して一緒に輸送することが可能になるからである。
【００３６】
第３の効果は、アンテナ１の展開の際に、所望の無線電波を送受信するために最適の高さまでアンテナを高く揚げることができる点にある。その理由は、アンテナ１の展開用のボタン操作を行った際に、シェルター３の側面の上部に配設した支点６に示す支柱を軸にして、アンテナ１を固定載置したアンテナ台２を、シェルター３の上面から突出させた位置まで回動させて、アンテナ１をシェルター３上面の上方向に直立させることができるので、アンテナ装置の使用時には、シェルター３の上面の上方向に、アンテナ１を所望の高さまで高く揚げることができるからである。
【００３７】
一方、アンテナ装置の収納時例えば輸送時においては、アンテナ１をシェルター３の横にシェルター３の側面に沿うように倒した状態に配置しているので、アンテナ装置全体の高さを低く、かつ、長さを短くすることができ、運搬性も確保することができる。
【００３８】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）当該アンテナ装置を使用する場合、前記支柱を軸にして前記アンテナ台を回動させることにより、前記アンテナ台を前記シェルターの上面の上方向に前記アンテナが直立する展開状態に移動させる上記（１）のアンテナ装置。
（３）前記シェルターの上面の上方向に前記アンテナが直立する展開状態に移動した後、アンテナ固定機構を作動させて前記アンテナ台を固定する上記（２）のアンテナ装置。
（４）前記支柱が配設される前記所定の位置が、前記シェルターの上面近傍の位置であり、当該アンテナ装置の使用時に、前記アンテナを取り付ける前記アンテナ台の載置面が、前記シェルターの上面から突出する上記（２）または（３）のアンテナ装置。
（５）前記シェルターに、前記アンテナ台の側面に先端が固着した伸縮自在なシリンダーを備え、該シリンダーを伸縮させることにより、前記支柱を軸にして前記アンテナ台を回動させる上記（１）ないし（４）のいずれかのアンテナ装置。
（６）ユーザが操作するアンテナ展開・収納用のボタンを備え、該アンテナ展開・収納用のボタンの操作により、前記シリンダーの伸縮動作を起動する上記（５）のアンテナ装置。
（７）アンテナと、該アンテナの取り付け用のアンテナ台を備えるとともに内部に該アンテナと接続する無線機器を格納するシェルターと、からなるアンテナ装置におけるアンテナ展開収納方法であって、前記アンテナ台を前記シェルターのあらかじめ定めた所定の位置に固定して配設した支柱を軸にして回動自在に取り付けることにより、前記アンテナ装置の収納時には、前記支柱を軸にして前記アンテナ台を回動させて前記シェルターの側面に沿うように前記アンテナを倒した状態に配置するアンテナ展開収納方法。
（８）当該アンテナ装置を使用する場合、前記支柱を軸にして前記アンテナ台を回動させることにより、前記アンテナ台を前記シェルターの上面の上方向に前記アンテナが直立する展開状態に移動させる上記（７）のアンテナ展開収納方法。
（９）前記シェルターの上面の上方向に前記アンテナが直立する展開状態に移動した後、アンテナ固定機構を作動させて前記アンテナ台を固定する上記（８）のアンテナ展開収納方法。
（１０）前記支柱が配設される前記所定の位置が、前記シェルターの上面近傍の位置であり、当該アンテナ装置の使用時に、前記アンテナを取り付ける前記アンテナ台の載置面が、前記シェルターの上面から突出する上記（８）または（９）のアンテナ展開収納方法。
（１１）前記シェルターに、前記アンテナ台の側面に先端が固着した伸縮自在なシリンダーを備え、該シリンダーを伸縮させることにより、前記支柱を軸にして前記アンテナ台を回動させる上記（７）ないし（１０）のいずれかのアンテナ展開収納方法。
（１２）ユーザが操作するアンテナ展開・収納用のボタンを備え、該アンテナ展開・収納用のボタンの操作により、前記シリンダーの伸縮動作を起動する上記（１１）のアンテナ展開収納方法。
【符号の説明】
【００３９】
１      アンテナ
２      アンテナ台
３      シェルター
４      シリンダー
５      昇降脚
６      支点
７      アンテナ固定機構
【図１】
2010183325.tif 000003
【図２】
2010183325.tif 000004
【図３】
2010183325.tif 000005
【図４】
2010183325.tif 000006